(57)【要約】【課題】刈り取った草類が刈払作業者の衣類等に付着するのを阻止でき、使い勝手がよく、製作性の優れた刈払機用飛散防護カバーの提供。【解決手段】上記課題は、刈払機用飛散防護カバー８に固定された固定部材１０に設けられ支柱２を挟持するための一対の嵌合凹部１７Ａ、１８Ａを設けてなる支柱挟持部材１１によって、支柱２を一対の嵌合凹部１７Ａ、１８Ａ間に挟持固定するとともに、刈払機用飛散防護カバー８を、上部平面板部８Ａ、下部平面板部８Ｂ、上部上辺折り曲げ片部８Ｃ、上部側辺折り曲げ片部８Ｄ、下部下辺折り曲げ片部８Ｅ及び下部側辺折り曲げ片部８Ｆ、８Ｇを少なくとも一体成形することによって、達成できる。【選択図】図３
0003149948.tif 000002
【実用新案登録請求の範囲】
【請求項１】
長尺状の支柱と、この支柱の先端側に設けられる筒状伝達機構収納体と、この筒状伝達機構収納体に回転可能に設けられるカッター部材と、このカッター部材を回転駆動させるための駆動源となり、かつ、前記支柱の後端側に設けられる駆動装置と、前記支柱を左右に振るために前記支柱に設けられる握りハンドルとを少なくとも備えた刈払機であって、この刈払機の前記カッター部材と前記駆動装置との間に位置するように前記支柱に挟持手段によって着脱可能に取り付けられる刈払機用飛散防護カバーにおいて、
前記挟持手段を、前記刈払機用飛散防護カバーに固定された固定部材と、この固定部材に設けられ前記支柱を挟持するための一対の嵌合凹部を設けてなる支柱挟持部材によって、前記支柱を前記一対の嵌合凹部間に挟持固定する構成とするとともに、
前記刈払機用飛散防護カバーを、前記挟持手段にて前記支柱を挟持した状態で前記支柱より上方及び一側方に延びる上部平面板部と、この上部平面板部に連なり、かつ、前記挟持手段にて前記支柱を挟持した状態で前記支柱より下方及び両側方に延びる下部平面板部と、前記上部平面板部の上辺に設けられて前記支柱の先端側に向かって折り曲げてなる上部上辺折り曲げ片部と、前記上部平面板部の一側方辺に設けられて前記支柱の先端側に向かって折り曲げてなる上部側辺折り曲げ片部と、前記下部平面板部の下辺に設けられて前記支柱の先端側に向かって折り曲げてなる下部下辺折り曲げ片部と、前記下部平面板部の両側辺にそれぞれ設けられて前記支柱の先端側に向かって折り曲げてなる下部側辺折り曲げ片部とから少なくともなり、前記上部平面板部、前記下部平面板部、前記上部上辺折り曲げ片部、前記上部側辺折り曲げ片部、前記下部下辺折り曲げ片部及び前記下部側辺折り曲げ片部を、少なくとも一体成形してなることを特徴とする刈払機用飛散防護カバー。
【請求項２】
前記挟持手段にて前記支柱を挟持して前記刈払機用飛散防護カバーを前記支柱に固定すると、前記上部平面板部及び前記下部平面板部が、前記支柱の長手方向の中心線に対して略直角方向に延在する状態となり、しかも、上部平面板部の他側方辺端を前記支柱の長手方向の外周面よりも外方に突出させることなく、かつ、前記下部平面板部の側辺のうち前記上部平面板部の他側方辺端に近い方の側辺を前記支柱の長手方向の外周面よりも外方に突出させる構成にしたことを特徴とする請求項１記載の刈払機用飛散防護カバー。
【請求項３】
前記上部平面板部の他側方辺端に沿って前記挟持手段の固定部材を固定するとともに、この固定部材に設けた支柱挟持部材の前記一対の嵌合凹部間に前記支柱を挟持固定させた状態では、上部平面板部の他側方辺端と前記支柱の外周面との間の間隙寸法が、５ｍｍ以内に設定される構成としたことを特徴とする請求項１若しくは２記載の刈払機用飛散防護カバー。
【請求項４】
前記下部下辺折り曲げ片部と下部側辺折り曲げ片部との間の隅部外周壁に、前記支柱の長手方向の中心線を回転軸にして前記支柱を回動可能にするための回動可能形状部を形成してなることを特徴とする請求項１、２若しくは３記載の刈払機用飛散防護カバー。
【考案の詳細な説明】
【技術分野】
【０００１】  本考案は、地面に生えた草類などを刈り取るのに好適な刈払機用飛散防護カバーに関するものである。
【背景技術】
【０００２】  従来、刈払機としては、長尺状の支柱（柄）と、この支柱の先端側に設けられる筒状伝達機構収納体（基部）と、この筒状伝達機構収納体に回転可能に設けられるカッター部材（刈払刃）と、このカッター部材を回転駆動させるための駆動源となり、かつ、前記支柱の後端側に設けられる駆動装置（駆動エンジン）と、前記支柱を左右に振るために前記支柱に設けられる握りハンドルと、前記支柱に設けられる肩掛けバンドと、前記支柱に取り付けられる刈払機用飛散防護カバー（ガード）とを備えたものが知られている（例えば、特許文献１参照）。【０００３】  さらに、刈払機用飛散防護カバーとしては、略平坦な本体板の少なくとも刈払刃の回転方向側の側方部分が下方に折り曲げられた形状をなし、かつ、刈払機を操作する作業者から見て前記本体板内に少なくとも刈払刃の回転方向側の半分が隠れるように支柱に取り付けられた硬質樹脂材製のガード板と、このガード板の後端部から垂下され、かつ、支柱を挿通させる挿通部が形成された軟質樹脂材製の軟質シートとから構成したものが知られている（例えば、特許文献１参照）。
【先行技術文献】
【特許文献】
【０００４】
【特許文献１】特開２００４−６５１９３号公報
【考案の概要】
【考案が解決しようとする課題】
【０００５】  しかしながら、上述の特開２００４−６５１９３号公報に記載されている刈払機用飛散防護カバーでは、次のような問題点を有している。【０００６】（一）刈払機用飛散防護カバーは、硬質樹脂材製のガード板と軟質樹脂材製の軟質シートを金属帯板と複数個のねじで固定するとともに、軟質シートに支柱を挿通させる挿通穴を形成するという構成になっているので、材質の異なるところのガード板と軟質シートの２種類の部品を必要とし、かつ、そのガード板と軟質シートを金属帯板及び複数個のねじで固定する必要があり、製作時間が長くなるとともに、長い組立時間を必要とするなどのため、製作性が悪いものである。【０００７】（二）ガード板の後端部に固定した軟質シートの前端中央部に凹状切り欠きを設け、この凹状切り欠きを、支柱を挿通させるための挿通穴としているため、刈払機用飛散防護カバーを支柱から取り外す場合には、取り付け金具を二分割にし、かつ、ガード板と軟質シートを分離させるか、あるいは支柱の先端側に設けられた筒状伝達機構収納体（基部）及びカッター部材を支柱から分離させることが必要であって、使用中の刈払機から刈払機用飛散防護カバーを取り外し、その刈払機用飛散防護カバーを別の刈払機に取り付けて使用するということが簡単にできなかった。そのために、一個の刈払機用飛散防護カバーを、複数個の刈払機に兼用させること、換言すれば、アタッチメントとして使用することが困難であって、複数個の刈払機があれば、それらの刈払機毎に専用の刈払機用飛散防護カバーを用意する必要があった。また、軟質シートの前端中央部に設けた凹状切り欠きからなる挿通穴を、カッター部材側から飛散してくる草類、石などの飛散物が通り抜けて、刈払作業者（刈払機の使用者・操作者）の身体に当たりその身体を損傷させることがあった。【０００８】（三）刈払機用飛散防護カバーは、ガード板の両側端に折り曲げ部が形成されているのみで、ガード板の前端部及び後端部に折り曲げ部が形成されていないので、ガード板を合成樹脂性とした場合に十分な強度が得られなかった。【０００９】（四）刈払機用飛散防護カバーは、刈払作業中に、ガード板の後端部に固定した軟質シートが地面に接触して下方に押された場合に、その軟質シートが撓んで変形してしまう場合があり、その場合には、軟質シートと地面との間隙が大きくなって、その間隙を、カッター部材側から飛散してくる草類、石などの飛散物が通り抜けて、刈払作業者の下半身に当たりその下半身を損傷させることがあった。【００１０】（五）刈払機用飛散防護カバーのガード板の取り付け金具に対する傾動角度（ガード板の内面と支柱上面との角度）が鋭角となるように、取り付けられているため、刈払刃から飛散してきた草類がガード板の内面に大量にこびり付いてしまい刈払機用飛散防護カバーが重くなってしまうので、刈払機を操作する作業者の肉体的疲労が大となって刈払作業時間が長くなるとともに、ガード板の内面に大量にこびり付いた際にはそのこびり付いた草類を、刈払作業を中断してガード板の内面から取り除く必要がでてくる場合があり、刈払作業の作業性が悪かった。【００１１】（六）刈払機用飛散防護カバーは、取り付け金具により、刈払刃の回転方���側に傾くように、支柱に取り付けられ、しかも、ガード板内に刈払刃の少なくとも回転方向側の半分が隠れるようにするために、取り付け金具に対して傾動可能に設けるようにしてあるため、刈払刃の回転方向側への傾き角度をかえると、ガード板の取り付け金具に対する傾動角度（ガード板の内面と支柱上面との角度）を変える調整作業が必要となるため、その調整作業が煩雑で、取扱性が悪かった。【００１２】（七）刈払機用飛散防護カバーは、刈払作業中に、ガード板の後端部に固定した四方形の軟質シートが地面に接触して下方に押された場合に、その軟質シートが撓んでしまうので、握りハンドルによって支柱を左右に振りながら支柱の長手方向の中心線を回転軸にして支柱を回動させた際、その回動を円滑に行うことができない。【００１３】  請求項１の考案の目的は、上記（一）から（四）の問題点に着目してなされたもので、上部平面板部と、この上部平面板部の上辺に設けられて前記支柱の先端側に向かって折り曲げてなる上部上辺折り曲げ片部と、前記上部平面板部の一側方辺に設けられて前記支柱の先端側に向かって折り曲げてなる上部側辺折り曲げ片部によって、刈払機を使用中、その刈払機の刈払作業者の上半身側に向って、カッター部材から支柱の上方側を介して飛散してくる飛散物を遮断し、かつ、下部平面板部と、この下部平面板部の下辺に設けられて前記支柱の先端側に向かって折り曲げてなる下部下辺折り曲げ片部と、前記下部平面板部の両側辺に設けられて前記支柱の先端側に向かって折り曲げてなる下部側辺折り曲げ片部と、前記支柱の長手方向の外周面よりも外方に突出するところの前記下部平面板部の上辺部分に設けられて前記支柱の先端側に向かって折り曲げてなる下部上辺折り曲げ片部によって、刈払機を使用中、その刈払機の刈払作業者の下半身側に向って、カッター部材から支柱の下方側を介して飛散してくる飛散物を遮断することができ、草類及び草類の汁が刈払作業者の装着類を汚したり損傷させたりすることを防止するとともに、石などの飛散物が刈払作業者の身体を損傷させることなく、製作性、使い勝手性及び安全性の優れた刈払機用飛散防護カバーを提供することにある。【００１４】  請求項２の考案の目的は、上記（一）から（五）の問題点に着目してなされたもので、草類が上部平面板部及び下部平面板部に大量にこびり付いてしまうことがなく、しかも、カッター部材から支柱の下方側を介して刈払作業者の下半身に向って飛散してくる飛散物を、確実に遮断することができるとともに、上部平面板部の他側方辺端を支柱の長手方向の外周面よりも外方に突出させる形状にしなくとも、カッター部材から支柱の上方側を介して刈払作業者の上半身側に向って飛散してくる飛散物を遮断することができ、その上部平面板部の小形化を可能にする刈払機用飛散防護カバーを提供することにある。【００１５】  請求項３の考案の目的は、上記（一）から（六）の問題点に着目してなされたもので、上部平面板部の他側方辺端に沿って固定された固定部材と、この固定部材に設けられる支柱挟持部材とによる支柱への刈払機用飛散防護カバーの取り付けを円滑に行うことを可能にし、かつ、上部平面板部の他側方辺端と支柱の外周面との間隙があっても、そ���間隙から刈払作業者の上半身側に向って飛散してくる草類、石などの飛散物を阻止することを可能にする刈払機用飛散防護カバーを提供することにある。【００１６】  請求項４の考案の目的は、上記（一）から（七）の問題点に着目してなされたもので、傾斜面、凹凸面若しくは段差部等に生えている草類を刈る場合や太くて硬い草を根元から切断する場合に、握りハンドルによって支柱を左右に振りながら支柱の長手方向の中心線を回転軸にして支柱を回動させても、その回動を円滑に行わせることを可能にする刈払機用飛散防護カバーを提供することにある。
【課題を解決するための手段】
【００１７】  請求項１の考案の目的を達成するために、長尺状の支柱と、この支柱の先端側に設けられる筒状伝達機構収納体と、この筒状伝達機構収納体に回転可能に設けられるカッター部材と、このカッター部材を回転駆動させるための駆動源となり、かつ、前記支柱の後端側に設けられる駆動装置と、前記支柱を左右に振るために前記支柱に設けられる握りハンドルとを少なくとも備えた刈払機であって、この刈払機の前記カッター部材と前記駆動装置との間に位置するように前記支柱に挟持手段によって着脱可能に取り付けられる刈払機用飛散防護カバーにおいて、前記挟持手段を、前記刈払機用飛散防護カバーに固定された固定部材と、この固定部材に設けられ前記支柱を挟持するための一対の嵌合凹部を設けてなる支柱挟持部材によって、前記支柱を前記一対の嵌合凹部間に挟持固定する構成とするとともに、前記刈払機用飛散防護カバーを、前記挟持手段にて前記支柱を挟持した状態で前記支柱より上方及び一側方に延びる上部平面板部と、この上部平面板部に連なり、かつ、前記挟持手段にて前記支柱を挟持した状態で前記支柱より下方及び両側方に延びる下部平面板部と、前記上部平面板部の上辺に設けられて前記支柱の先端側に向かって折り曲げてなる上部上辺折り曲げ片部と、前記上部平面板部の一側方辺に設けられて前記支柱の先端側に向かって折り曲げてなる上部側辺折り曲げ片部と、前記下部平面板部の下辺に設けられて前記支柱の先端側に向かって折り曲げてなる下部下辺折り曲げ片部と、前記下部平面板部の両側辺にそれぞれ設けられて前記支柱の先端側に向かって折り曲げてなる下部側辺折り曲げ片部とから少なくともなり、前記上部平面板部、前記下部平面板部、前記上部上辺折り曲げ片部、前記上部側辺折り曲げ片部、前記下部下辺折り曲げ片部及び前記下部側辺折り曲げ片部を少なくとも一体成形する構成にしたことを特徴とするものである。【００１８】  さらに、請求項２の考案の目的を達成するために、前記挟持手段にて前記支柱を挟持して前記刈払機用飛散防護カバーを前記支柱に固定すると、前記上部平面板部及び前記下部平面板部が、前記支柱の長手方向の中心線に対して略直角方向に延在する状態となり、しかも、上部平面板部の他側方辺端を前記支柱の長手方向の外周面よりも外方に突出させることなく、かつ、前記下部平面板部の側辺のうち前記上部平面板部の他側方辺端に近い方の側辺を前記支柱の長手方向の外周面よりも外方に突出させる構成にしたことを特徴とするものである。【００１９】  さらに、請求項３の考案の目的を達成するために、前記上部平面板部の他側方辺端に沿って前記挟持手段の固定部材を固定するとともに、この固定部材に設けた支柱挟持部材の前記一対の嵌合凹部間に前記支柱を挟持固定させた状態では、上部平面板部の他側方辺端と前記支柱の外周面との間の間隙寸法が、５ｍｍ以内に設定される構成にしたことを特徴とするものである。【００２０】  さらに、請求項４の考案の目的を達成するために、下部下辺折り曲げ片部と下部側辺折り曲げ片部との間の隅部外周壁に、前記支柱の長手方向の中心線を回転軸にして前記支柱を回動可能にするための回動可能形状部を形成してなる構成にしたことを特徴とするものである。
【考案の効果】
【００２１】  請求項１の考案によれば、上部平面板部と、この上部平面板部の上辺に設けられて前記支柱の先端側に向かって折り曲げてなる上部上辺折り曲げ片部と、前記上部平面板部の一側方辺に設けられて前記支柱の先端側に向かって折り曲げてなる上部側辺折り曲げ片部によって、刈払機を使用中、その刈払機の刈払作業者の上半身側に向って、カッター部材から支柱の上方側を介して飛散してくる草類、石などの飛散物が遮断されるとともに、下部平面板部と、この下部平面板部の下辺に設けられて前記支柱の先端側に向かって折り曲げてなる下部下辺折り曲げ片部と、前記下部平面板部の両側辺のそれぞれに設けられて前記支柱の先端側に向かって折り曲げてなる下部側辺折り曲げ片部によって、刈払機を使用中、その刈払機の刈払作業者の下半身側に向って、カッター部材から支柱の下方側を介して飛散してくる草類、石などが飛散物を遮断されるため、刈払作業時に刈払作業者が頭部から足元に亘って身に付けるところの、装着類、例えば、帽子、衣類、手袋、作業靴などの装着類に、草類、石などの飛散物が衝突することがなく、草類及び草類の汁が刈払作業者の装着類に付着してその装着類を汚したり損傷させたりすることがなく、かつ、石などの飛散物が刈払作業者の身体、例えば、頭部、手足などの身体に当たりその身体を損傷させることがないので、使い勝手性及び安全性の優れた刈払機用飛散防護カバーが得られる。しかも、本考案によれば、上部上辺折り曲げ片部、上部側辺折り曲げ片部、下部下辺折り曲げ片部及び下部側辺折り曲げ片部によって、カッター部材から飛散してきた飛散物の飛散方向が支柱の先端側方向に折り曲げられるので、上部平面板部及び下部平面板部の小形化が可能となり、かつ、上部平面板部及び下部平面板部の強度が図られるとともに、上部平面板部、下部平面板部、上部上辺折り曲げ片部、上部側辺折り曲げ片部、下部下辺折り曲げ片部及び前記下部側辺折り曲げ片部を少なくとも一体に成形するようにしたので、製作性の優れた刈払機用飛散防護カバーが得られる。【００２２】  さらに、請求項２の考案によれば、支柱挟持部材の一対の嵌合凹部を支柱に嵌合させると、上部平面板部及び下部平面板部が、支柱の長手方向の中心線に対して略直角方向に延在する状態となるので、カッター部材から飛散してきて上部平面板部及び下部平面板部に衝突した草類の多くが落下してしまい、その草類が上部平面板部及び下部平面板部に大量にこびり付いてしまうことがないため、刈払作業中に刈払機用飛散防護カバーが重くなってしまうことにより作業性を低下させてしまうことがなく、かつ、支柱挟持部材の一対の嵌合凹部を支柱に嵌合させると、下部平面板部の側辺のうち上部平面板部の他側方辺端に近い方の側辺が支柱の長手方向の外周面よりも外方に突出した状態となるので、カッター部材から支柱の下方側を介して刈払作業者の下半身に向って飛散してくる草類、石などの飛散物を、確実に遮断することができ、しかも、上部平面板部の他側方辺端を支柱の長手方向の外周面よりも外方に突出させる形状にしなくとも、カッター部材から支柱の上方側を介して刈払作業者の上半身側に向って飛散してくる草類、石などの飛散物を遮断することができることを実験��より確認でき、その結果、上部平面板部の他側方辺端を支柱の長手方向の外周面よりも外方に突出させない形状とすることが可能となり、その上部平面板部の小形化が図られる刈払機用飛散防護カバーが得られる。【００２３】  さらに、請求項３の考案によれば、上部平面板部の他側方辺端に沿って挟持手段の固定部材を固定するとともに、この固定部材に設けた支柱挟持部材の一対の嵌合凹部間に支柱を挟持固定させた状態では、上部平面板部の他側方辺端と支柱の外周面との間の間隙寸法を、５ｍｍ以内に設定される構成とすることで、上部平面板部の他側方辺端に沿って固定された固定部材とこの固定部材に設けられる支柱挟持部材とによる支柱への刈払機用飛散防護カバーの取り付けを円滑に行うことができ、しかも、上部平面板部の他側方辺端と支柱の外周面との間隙から刈払作業者の上半身側に向って飛散してくる草類、石などの飛散物を阻止することが可能な刈払機用飛散防護カバーが得られる。【００２４】  さらに、請求項４の考案によれば、傾斜面、凹凸面若しくは段差部等に生えている草類を刈る場合若しくは太くて硬い草を根元から切断したい場合には、握りハンドルによって支柱の長手方向の中心線を回転軸にして支柱を回動させてカッター部材の回転面を傾斜させる必要があるが、その回動を、下部下辺折り曲げ片部と下部側辺折り曲げ片部との間の隅部外周壁に形成した回動可能形状部によって円滑に行うことができる、換言すれば、握りハンドルによって支柱を左右に振りながら支柱の長手方向の中心線を回転軸にして支柱を回動させても、下部平面板部の下部下辺折り曲げ片部及び前記下部側辺折り曲げ片部が地面の傾斜面、凹凸面若しくは段差部等に引っ掛かることなく、その回動を円滑に行うことができ、しかも、太くて硬い草をその根元から難なく切断することを可能にする操作性の優れた刈払機用飛散防護カバーが得られる。
【図面の簡単な説明】
【００２５】
【図１】本考案の一実施形態に係わる刈払機を示す全体側面図である。
【図２】本考案の一実施形態に係わる刈払機の支柱後部側を省略してなる要部上面図である。
【図３】本考案の一実施形態に係わる刈払機の支柱後部側を省略してなる要部正面図である。
【図４】本考案の一実施形態に係わる刈払機用飛散防護カバーを支柱に挟持固定する挟持手段を示す要部拡大断面図である。
【図５】本考案の一実施形態に係わる刈払機用飛散防護カバーの正面図である。
【図６】本考案の一実施形態に係わる刈払機用飛散防護カバーの上面図である。
【図７】本考案の一実施形態に係わる刈払機用飛散防護カバーの下面図である。
【図８】本考案の一実施形態に係わる刈払機用飛散防護カバーの左側面図である。
【図９】本考案の一実施形態に係わる刈払機用飛散防護カバーの右側面図である。
【図１０】本考案の一実施形態に係わる挟持手段を構成する固定部材に支柱挟持部材を取り付けた状態を示す側面図である。
【図１１】本考案の一実施形態に係わる固定部材の取り付け枠体を示す拡大上面図である。
【図１２】本考案の一実施形態に係わる挟持手段を構成する支柱挟持部材の全体構成を示す拡大斜視図である。
【図１３】本考案の一実施形態に係わる支柱挟持部材の挟持用板部材の拡大上面図である。
【図１４】本考案の一実施形態に係わる支柱挟持部材の挟持用枠部材の要部を破断した状態を示す拡大斜視図である。
【図１５】本考案の一実施形態に係わる挟持手段の固定部材に支柱挟持部材を装着した状態を説明するための拡大斜視図である。
【図１６】本考案の一実施形態に係わる刈払機用飛散防護カバーの寸法を説明する図である。
【図１７】本考案の他実施形態例その１に係わる支柱挟持部材の全体構成を示す拡大斜視図である。
【図１８】本考案の他実施形態例その２に係わる支柱挟持部材の全体構成を示す拡大斜視図である。
【図１９】本考案の他実施形態例その３に係わる刈払機用飛散防護カバーの全体構成を示す正面側から見た拡大斜視図である。
【図２０】本考案の他実施形態例その３に係わる刈払機用飛散防護カバーの全体構成を示す背面側から見た拡大斜視図である。
【考案の実施するための形態】
【００２６】  以下、本考案の実施形態例を、図１〜図２０に基づき、具体的に説明する。
【００２７】  図１に示す一実施形態の刈払機１は、長尺状の支柱２と、この支柱２の先端側に設けられる筒状伝達機構収納体３と、この筒状伝達機構収納体３に回転可能に設けられるカッター部材４と、このカッター部材４を回転駆動させるための駆動源となりかつ支柱２の後端側に設けられる駆動装置５と、支柱２を左右に振るために支柱２に設けられる握りハンドル６と、この握りハンドル６と駆動装置５との間に位置する支柱２の部分に取り付けられた肩掛けバンド７と、カッター部材４と握りハンドル６との間に着脱可能に取り付けられた刈払機用飛散防護カバー８を少なくとも備える構成にしてある。
【００２８】  支柱２は、直径が約２５ｍｍで、かつ、長さが約１６０ｃｍのステンレス、アルミニュームなどの軽量化された細長状管体からなる。支柱２の前端（先端）は、筒状伝達機構収納体３の外周側面に一体的に設ける。カッター部材４は、支柱２内に設けた図示しない細長伝達軸及び伝達機構収納体３内に設けた図示しない伝達歯車群を介して伝達される駆動装置５の回転力により、筒状伝達機構収納体３の下面部分で高速回転するようにしてある。
【００２９】  筒状伝達機構収納体３の下面部分で高速回転するカッター部材４は、図１に示すように、伝達機構収納体３の縦方向の中心軸線Ｘ１とカッター部材４の回転面Ｘ２との交差角度Ｒ１が略直角となるように設置されている。支柱２の前端（先端）は、図１に示すように、支柱２の長手方向の中心線Ｘ３の延長線とカッター部材４の回転面Ｘ２の延長面との交差角度Ｒ２が略３０度となるように筒状伝達機構収納体３の外周側面に一体的に設けられている。カッター部材４の回転方向は、図２に示す矢印Ｐ１方向に、すなわち、カッター部材４を上方から見て反時計方向に一方回転するようにしてある。カッター部材４は、ナイロンワイヤーなどを用いたワイヤー方式でもよく、外周に鋸状の刃（チップソー）を有する金属円板方式でもよいが、本実施形態では、ワイヤー方式とし、伝達機構収納体３の縦方向の中心軸線Ｘ１からカッター部材４の先端までの距離寸法Ｌ６が、約２３０ｍｍとなるように、カッター部材４の長さを設定してある。
【００３０】  駆動装置５は、２サイクルエンジンからなり、支柱２の後端側に取り換えができるように固定されている。握りハンドル６は、ステンレス、アルミニュームなどの管体からなり、刈払機１の刈払作業者の肩に肩掛けバンド７を掛けた状態で、刈払機１の刈払作業者が両手を使って、支柱２を左右に振ることが円滑に行える形状としてある。肩掛けバンド７は、布製若しくは皮製であって、刈払機１の刈払作業者の肩に支柱２を吊るして支柱２の後端側に設けた駆動装置５を支えるのに好適な位置に設けられている。
【００３１】  刈払機用飛散防護カバー８は、挟持手段９により、支柱２に対して着脱可能に取り付けられ、しかも、支柱２への取り付け位置が、支柱２の長手方向及び支柱２の長手方向に対して略直角方向の両方向に、調整可能に取り付けられるようにしてある。挟持手段９は、刈払機用飛散防護カバー８側に固定された固定部材１０と、この固定部材１０に設けられる支柱挟持部材１１から構成される（図２〜図４参照）。支柱２に刈払機用飛散防護カバー８が取り付けられた状態では、その刈払機用飛散防護カバー８に、回転するカッター部材４の先端が接触することのないように、刈払機用飛散防護カバー８の支柱２への取り付け位置が設定されている。
【００３２】  刈払機用飛散防護カバー８は、図３及び図５に示すように、前記挟持手段９にて支柱２を挟持した状態で支柱２より上方及び一側方に延びる上部平面板部８Ａと、この上部平面板部８Ａに連なり、かつ、挟持手段９にて支柱２を挟持した状態で支柱２より下方及び両側方に延びる下部平面板部８Ｂと、上部平面板部８Ａの上辺８Ａ−１に設けられて支柱２の先端側に向かって折り曲げてなる上部上辺折り曲げ片部８Ｃと、上部平面板部８Ａの一側辺８Ａ−２に設けられて支柱２の先端側に向かって折り曲げてなる上部側辺折り曲げ片部８Ｄと、下部平面板部８Ｂの下辺８Ｂ−１に設けられて支柱２の先端側に向かって折り曲げてなる下部下辺折り曲げ片部８Ｅと、下部平面板部８Ｂの両側辺８Ｂ−２、８Ｂ−３に設けられて支柱２の先端側に向かって折り曲げてなる下部側辺折り曲げ片部８Ｆ、８Ｇと、挟持手段９にて支柱２を挟持した状態で支柱２の長手方向の外周面よりも外方に突出するところの下部平面板部８Ｂの上辺８Ｂ−４部分に設けられて支柱２の先端側に向かって折り曲げてなる下部上辺折り曲げ片部８Ｈとからなり、上部平面板部８Ａ、下部平面板部８Ｂ、上部上辺折り曲げ片部８Ｃ、上部側辺折り曲げ片部８Ｄ、下部下辺折り曲げ片部８Ｅ、下部側辺折り曲げ片部８Ｆ、８Ｇ及び下部上辺折り曲げ片部８Ｈを、合成樹脂により一体成形する構成にしてある（図６〜図９参照）。
【００３３】  刈払機用飛散防護カバー８は、図１に示すように、挟持手段９にて支柱２を挟持してその刈払機用飛散防護カバーを支柱２に固定すると、上部平面板部８Ａ及び下部平面板部８Ｂが、支柱２の長手方向の中心線Ｘ３に対して略直角方向に延在する状態となり、しかも、図３に示すように、上部平面板部８Ａの他側方辺端８Ａ−３を支柱２の外周面よりも外方に突出させることなく、かつ、下部平面板部８Ｂの側辺８Ｂ−２、８Ｂ−３のうち上部平面板部８Ａの他側方辺端８Ａ−３に近い方の側辺８Ｂ−３を支柱２の外周面よりも外方に突出させる構成にしてある。
【００３４】  刈払機用飛散防護カバー８は、上部平面板部８Ａの他側方辺端８Ａ−３の端縁近傍に沿って挟持手段９の固定部材１０を固定するとともに、支柱挟持部材１１の一対の嵌合凹部１７Ａ、１８Ａ間に支柱２を挟持固定させた状態では、上部平面板部８Ａの他側方辺端８Ａ−３と支柱２の外周面との間の間隙寸法Ｇが、５ｍｍ以内に設定される構成にしてある（図３及び図４参照）。
【００３５】  刈払機用飛散防護カバー８は、図３及び図５に示すように、その下部下辺折り曲げ片部８Ｅと下部側辺折り曲げ片部８Ｆとの間の隅部外周壁８Ｋ−１及び下部下辺折り曲げ片部８Ｅと下部側辺折り曲げ片部８Ｇとの間の隅部外周壁８Ｋ−２を、支柱２の長手方向の中心線Ｘ３を回転軸にして支柱２を回動させることで刈払機用飛散防護カバー８を支柱２の長手方向の中心線Ｘ３を回転軸にして回動させようとした場合、その回動を円滑に行わせるための回動可能形状部としてある。回動可能形状部は、下部下辺折り曲げ片部８Ｅと下部側辺折り曲げ片部８Ｆとの間の隅部外周壁８Ｋ−１及び下部下辺折り曲げ片部８Ｅと下部側辺折り曲げ片部８Ｇとの間の隅部外周壁８Ｋ−２を、傾斜面とすることで形成される。本実施形態例では、隅部外周壁８Ｋ−１及び隅部外周壁８Ｋ−２を、約３０度から約４５度の範囲内の傾斜角度にした傾斜面とすることで、回動可能形状部を形成するようにしてある。
【００３６】  固定部材１０は、図４に示すように、断面形状がＬ字状のＬ状固定具１２と、このＬ状固定具１２を刈払機用飛散防護カバー８に固定する際の補強の役目を果たす補強板１３と、この補強板１３及びＬ状固定具１２を刈払機用飛散防護カバー８に固定するための固定ボルト及びワッシャーからなる複数個の第１締結具１４と、Ｌ状固定具１２に支柱挟持部材１１を摺動可能に取り付けるための取り付け枠体１５と、この取り付け枠体１５をＬ状固定具１２に固定するための固定ボルト及びワッシャーからなる複数個の第２締結具１６から少なくとも構成される。取り付け枠体１５には、図１１に示すように、支柱挟持部材１１を支柱２の長手方向に対して略直角方向に摺動可能にするための摺動溝１５Ａと、第２締結具１６を取り付けるための２個の第２締結具用取り付け穴１５Ｂとが設けられている。取り付け枠体１５は、できるだけ軽量であって強度大の材質のものから作られている。
【００３７】  第２締結具１６は、摺動溝１５Ａに嵌合させた支柱挟持部材１１がその摺動溝１５Ａから脱落するのを防止する脱落防止部材の機能を果たすことができるようにしてある。そのために、第２締結具１６の固定ボルトの長さ寸法は、支柱挟持部材１１のねじ棒２０が取り付け枠体１５の摺動溝１５Ａ内を摺動してその摺動溝１５Ａの左右端に移動した際、ねじ棒２０の後端に設けた抜け止め用の頭部２０Ａが第２締結具１６の固定ボルトの先端部に係止（衝突）した状態となり、支柱挟持部材１１のねじ棒２０が取り付け枠体１５の摺動溝１５Ａの左右端から脱落（抜け出す）のを防止することを可能にする寸法に設定してある（図４及び図１５参照）。
【００３８】  支柱挟持部材１１は、図１０に示すように、Ｖ状の嵌合凹部１７Ａを形成した挟持用枠部材１７と、Ｖ状の嵌合凹部１８Ａを設けた挟持用板部材１８と、挟持用枠部材１７の嵌合凹部１７Ａと挟持用板部材１８の嵌合凹部１８Ａが対向した状態で挟持用板部材１８を挟持用枠部材１７に取り付けられ、かつ、挟持用板部材１８及び挟持用枠部材１７を取り付け枠体１５に対して摺動可能に取り付けるための２個の挟持用締結具１９から構成され、挟持用枠部材１７の嵌合凹部１７Ａと挟持用板部材１８の嵌合凹部１８Ａとの間に、支柱２を挟持することで、刈払機用飛散防護カバー８を支柱２に取り付ける構成にしてある（図３参照）。支柱挟持部材１１の挟持用枠部材１７は、図３に示すように、刈払機用飛散防護カバー８における上部平面板部８Ａの他側方辺端８Ａ−３よりも外方に挟持用枠部材１７の嵌合凹部１７Ａが位置するように、固定部材１０の取り付け枠体１５に装着されるようにしてある。
【００３９】  ２個の挟持用締結具１９は、図１０及び図１２に示すように、後端に抜け止め用の頭部２０Ａを設けてなる金属製のねじ棒２０と、このねじ棒２０の先端側に螺合する金属製の蝶ナット状のナット体２１と、ねじ棒２０の後端側に嵌合する金属製の回り止め部材２２とからなり、ナット体２１を人の指若しくは工具で螺進させることで、挟持用板部材１８を挟持用枠部材１７側に移動させることによって、挟持用枠部材１７の嵌合凹部１７Ａと挟持用板部材１８の嵌合凹部１８Ａとの間に支柱２を、工具を用いることなく、手作業で、挟持することができる構成にしてある。ねじ棒２０の外径は、取り付け枠体１５の摺動溝１５Ａを摺動させることが可能となる大きさに設定してある。取り付け枠体１５の摺動溝１５Ａの長さは、支柱挟持部材１１を、取り付け枠体１５に対して約４０ｍｍ〜約６０ｍｍの範囲で摺動させることを可能にする寸法に設定されている。取り付け枠体１５のＬ状固定具１２の立ち上がり片側１２Ａへの取付位置及びＬ状固定具１２の立ち上がり片側１２Ａの高さ寸法は、挟持用締結具１９の蝶ナット状のナット体２１を人の指で摘まんで螺進させる際、その指等が刈払機用飛散防護カバー８の上部平面板部８Ａの背面側に接触することなく、ナット体２１の螺進動作が行われることが可能となる寸法に設定されている。
【００４０】  上記一実施形態の刈払機用飛散防護カバー８では、軽量化と製作性の観点から合成樹脂製としてある。すなわち、上下の型枠を用いて、上部平面板部８Ａ、下部平面板部８Ｂ、上部上辺折り曲げ片部８Ｃ、上部側辺折り曲げ片部８Ｄ、下部下辺折り曲げ片部８Ｅ、下部側辺折り曲げ片部８Ｆ、Ｇ及び下部上辺折り曲げ片部８Ｈを、合成樹脂により、一体成形するようにしてある。また、刈払機用飛散防護カバー８の強度を増大させるために、刈払機用飛散防護カバー８の背面側に金網を一体に取り付けるようにしてもよいし、かつ、刈払機用飛散防護カバー８の正面側（内側）に草類などのごみ類の付着を阻止するために、刈払機用飛散防護カバー８の正面側（内側）にシリコンなどの滑り剤を塗布するようにしてもよい。
【００４１】  固定部材１０のＬ状固定具１２は、できるだけ軽量であって強度大の材質からなり、刈払機用飛散防護カバー８の上部平面板部８Ａの他側方辺端８Ａ−３に対して平行となるように、上部平面板部８Ａの背面側に第１締結具１４により固定されている。固定部材１０の補強板１３は、できるだけ軽量であって強度大の材質からなり、Ｌ状固定具１２に対向させて上部平面板部８Ａの正面側に第１締結具１４により固定されている。
【００４２】  支柱挟持部材１１の挟持用枠部材１７は、できるだけ軽量であって強度大の材質からなり、かつ、図１４に示すように、細長箱状をしており、上面中央に設けたＶ状の嵌合凹部１７Ａと、ねじ棒２０が貫通する２個の上面貫通穴１７Ｂと、ねじ棒２０が貫通する２個の下面貫通穴１７Ｃと、上面貫通穴１７Ｂと下面貫通穴１７Ｃとの間にあって、その上面貫通穴１７Ｂ及び下面貫通穴１７Ｃを貫通するねじ棒２０が嵌合可能な位置に設けられる円筒状補強体１７Ｄとを、設ける構成としてある。円筒状補強体１７Ｄは、ナット体２１を螺進させることで、挟持用板部材１８を挟持用枠部材１７側に向かって移動させることにより、挟持用枠部材１７の嵌合凹部１７Ａと挟持用板部材１８の嵌合凹部１８Ａの間に支柱２を挟持した際、挟持用枠部材１７が変形してしまうのを阻止する機能を有している。
【００４３】  支柱挟持部材１１の挟持用板部材１８は、細長鋼板製であって、図１２及び図１３に示すように、支柱２を挟持するためのＶ状の嵌合凹部１８Ａと、一方のねじ棒２０が貫通する上面貫通穴１８Ｂと、他方のねじ棒２０に係止させるための切り込む開口１８Ｃを設ける構成としてある。挟持用板部材１８は、その挟持用板部材１８を、上面貫通穴１８Ｂを貫通する一方のねじ棒２０を軸にして一方向に回動させることで、図１２に示すように、切り込む開口１８Ｃを他方のねじ棒２０に係止させ、しかも、その挟持用板部材１８を、上面貫通穴１８Ｂを貫通する一方のねじ棒２０を軸にして他方向に回動させることで、他方のねじ棒２０から切り込む開口１８Ｃを解放させる構成にしてある。
【００４４】  挟持用締結具１９を構成するねじ棒２０の先端には、図１０に示すように、ねじ棒２０の先端から螺合させたナット体２１が、そのねじ棒２０の先端から抜け出すのを防止する割りピン２３が設けられている。挟持用締結具１９を構成する回り止め部材２２は、図１２に示すように、方形板状であり、ねじ棒２０の頭部２０Ａの上方に位置して、ナット体２１を螺進させることで、挟持用板部材１８を挟持用枠部材１７側に移動させた際に、その回り止め部材２２の回動を取り付け枠体１５で阻止することにより、ねじ棒２０が回動するのを阻止する機能を有している（図１５参照）。
【００４５】  挟持用枠部材１７の嵌合凹部１７Ａ及び挟持用板部材１８の嵌合凹部１８Ａには、支柱２が挟持された際に、その支柱２の外周面が損傷するのを阻止するためのゴムシート製の損傷防止用弾性材を設けるとともに、嵌合凹部１７Ａ及び嵌合凹部１８Ａの端縁を縁取り（面取り）するようにしてある。
【００４６】  刈払機用飛散防護カバー８は、図１６に示すように、上部上辺折り曲げ片部８Ｃの最上端から下部下辺折り曲げ片部８Ｅの最下端までの縦幅寸法Ｌ１が約３２０ｍｍに、下部上辺折り曲げ片部８Ｈの最上端から下部下辺折り曲げ片部８Ｅの最下端までの縦幅寸法Ｌ２が約１２０ｍｍに、下部側辺折り曲げ片部８Ｆの最外周から下部側辺折り曲げ片部８Ｇの最外周までの横幅寸法Ｌ３が約３５０ｍｍに、上部上辺折り曲げ片部８Ｃの最上端の横幅寸法Ｌ４が約２５０ｍｍに、下部上辺折り曲げ片部８Ｈの最上端の横幅寸法Ｌ５が約１００ｍｍに、それぞれ設定されている。しかも、刈払機用飛散防護カバー８は、その隅部外周壁８Ｋ１及び隅部外周壁８Ｋ２の傾斜面を、下部下辺折り曲げ片部８Ｅの最下端面に対して約３０度から約４５度の範囲内で傾斜させるとともに、上部上辺折り曲げ片部８Ｃ、上部側辺折り曲げ片部８Ｄ、下部下辺折り曲げ片部８Ｅ、下部側辺折り曲げ片部８Ｆ、８Ｇ及び下部上辺折り曲げ片部８Ｈを、上部平面板部８Ａ及び下部平面板部８Ｂに対して約４５度の角度で折り曲げられた状態となるように形成されている。
【００４７】  次に、上記一実施形態の刈払機１への刈払機用飛散防護カバー８の装着手順の一例を具体的に、説明する。
【００４８】  まず、図１２に示すように、挟持用枠部材１７、挟持用板部材１８、２個のねじ棒２０、２個のナット体２１、２個の回り止め部材２２を組み立てることで、支柱挟持部材１１の部組品を予め完成させておく。この場合、回り止め部材２２を嵌合させた状態のねじ棒２０の先端側を、挟持用枠部材１７の下面貫通穴１７Ｃから上面貫通穴１７Ｂに向かってその下面貫通穴１７Ｃ及び上面貫通穴１７Ｂを貫通させた後、そのねじ棒２０の先端側から挟持用板部材１８、ナット体２１の順でねじ棒２０に取り付け、その後、ねじ棒２０の先端部分に抜け止め防止用の割りピン２３を固定することにより、支柱挟持部材１１の部組品を完成させておくとよい。
【００４９】  次いで、その支柱挟持部材１１の部組品を構成するところの２個のねじ棒２０を、刈払機用飛散防護カバー８に予め固定してなる固定部材１０の取り付け枠体１５に設けた摺動溝１５Ａに、その摺動溝１５Ａの端部から嵌合させることで、支柱挟持部材１１を固定部材１０に装着する。その場合に、回り止め部材２２が、取り付け枠体１５の摺動溝１５Ａより下方に位置するように、ねじ棒２０を摺動溝１５Ａに嵌合させるようにする。なお、刈払機用飛散防護カバー８に予め固定してなる固定部材１０の取り付け作業は、刈払機用飛散防護カバー８の上部平面板部８Ａの他側方辺端８Ａ−３に対して平行となるように、上部平面板部８Ａの背面側に第１締結具１４により予め固定されているＬ状固定具１２の立ち上がり片側１２Ａに、取り付け枠体１５の摺動溝１５Ａに対向する面側（内底）を、第２締結具１６によって、取り付け枠体１５を締結することで、行われるようにしておくとよい（図４参照）。
【００５０】  次いで、挟持用板部材１８を、上面貫通穴１８Ｂを貫通する一方のねじ棒２０を軸にして他方向に回動させることで、他方のねじ棒２０から切り込む開口１８Ｃを解放させた状態にした後、挟持用枠部材１７の嵌合凹部１７Ａと挟持用板部材１８の嵌合凹部１８Ａとの間に、支柱２を設置して、その後、挟持用板部材１８を、上面貫通穴１８Ｂを貫通する一方のねじ棒２０を軸にして一方向に回動させることで、切り込む開口１８Ｃを他方のねじ棒２０に係止させる（図１２参照）。
【００５１】  その後、刈払機用飛散防護カバー８を支柱２の長手方向に移動させることで、支柱２の長手方向における挟持用枠部材１７及び挟持用板部材１８の位置を調整するとともに、２個のねじ棒２０を、摺動溝１５Ａ内を摺動させることで、支柱２の長手方向に対して略直角方向における挟持用枠部材１７及び挟持用板部材１８の位置を調整することにより、支柱２への刈払機用飛散防護カバー８の取り付け位置を、刈払作業者の身長にあった最適な位置となるように調整する。
【００５２】  最後に、ナット体２１を指で握るか若しくは工具により回転させて、そのナット体２１を螺進させて、挟持用板部材１８を挟持用枠部材１７側に向かって移動させることで、挟持用枠部材１７の嵌合凹部１７Ａと挟持用板部材１８の嵌合凹部１８Ａとの間に支柱２を挟持することにより、装着作業が完了する（図３参照）。
【００５３】  なお、刈払機１への装着が完了後、支柱２への長手方向における刈払機用飛散防護カバー８の取り付け位置を微調整したい場合は、ナット体２１を緩めて支柱２の長手方向における挟持用枠部材１７及び挟持用板部材１８の位置を微調整した後、再度、ナット体２１を締め直せばよい。また、刈払機１への装着が完了後、支柱２の長手方向に対して略直角方向における挟持用枠部材１７及び挟持用板部材１８の位置を微調整したい場合は、ナット体２１を緩めて２個のねじ棒２０を、摺動溝１５Ａ内を希望する位置まで摺動させた後、再度、ナット体２１を締め直せばよい。
【００５４】  次に、上記一実施形態の刈払機１による草類などの刈り方例を、具体的に説明する。
【００５５】（ａ）広い地面に生えた丈が短く幹が細い草類等の刈払作業をする場合には、カッター部材４の回転面Ｘ２が地面に対して略平行となる状態で、かつ、刈払機用飛散防護カバー８の下部下辺折り曲げ片部８Ｅの最下端面を地面に軽く押圧させた状態で、カッター部材４を回転させながら握りハンドル６を握って、支柱２を左右に振ることにより、広い地面に生えた丈の短い草類を、効率よく安全に刈り取ることができる。この場合、刈払機用飛散防護カバー８における上部平面板部８Ａの他側方辺端８Ａ−３が支柱２の長手方向の外周面よりも外方に突出させない形状となっているので、刈払作業中において、回転するカッター部材４の先端外周が見やすく、カッター部材４の傾斜角度を地面の凹凸状況や草類の生え方状況に応じて適宜に調整することが容易でであって、草類等の刈払作業を効率よく行うことができる。また、下部平面板部８Ｂの下部下辺折り曲げ片部８Ｅを地面に軽く押圧させながら握りハンドル６によって支柱２の長手方向の中心線Ｘ３を回転軸にして支柱２を回動させるようにすれば、カッター部材４の先端を地面に食い込ませることなく、草類等の刈払作業を行うことができる。
【００５６】（ｂ）広い地面に生えた丈の長く幹の太い草類等の刈払作業をする場合には、カッター部材４を回転させながら、握りハンドル６によって支柱２の長手方向の中心線Ｘ３を回転軸として回動させて刈払機用飛散防護カバー８をカッター部材４の反回転方向側（図２の矢印Ｐ１方向とは反対方向）に傾けることで、カッター部材４の回転面Ｘ２の延長線上に幹の太い草類等の根元（地際）を位置させた状態とする。その場合、刈払機用飛散防護カバー８における上部平面板部８Ａの他側方辺端８Ａ−３が支柱２の長手方向の外周面よりも外方に突出させない形状となっているので、刈払作業中において、回転するカッター部材４の先端外周と草類等の根元との位置関係が見やすいため、その幹の太い草類等の根元を難なく、効率よく刈り取ることができる。
【００５７】（ｃ）立ち木の周囲に生えた草類の刈払作業を場合には、カッター部材４を回転させつつ、握りハンドル６によって支柱２の長手方向の中心線を回転軸として回動させて刈払機用飛散防護カバー８をカッター部材４の反回転方向側に傾けながら、カッター部材４の回転面Ｘ２の延長線上に立ち木が存在しないように、カッター部材４の先端を立ち木外周から離した位置とする。その場合、刈払機用飛散防護カバー８における上部平面板部８Ａの他側方辺端８Ａ−３が支柱２の長手方向の外周面よりも外方に突出させない形状となっているので、刈払作業中において、回転するカッター部材４の先端外周と立ち木の根元との位置関係が見やすいため、立ち木を損傷させることなく、立ち木の周囲に生えた草類を効率よく刈り取ることができる。
【００５８】（ｄ）縁石やコンクリート製壁の沿って生えた草類の刈払作業を場合には、カッター部材４を回転させつつ、握りハンドル６によって支柱２の長手方向の中心線Ｘ３を回転軸として回動させて刈払機用飛散防護カバー８をカッター部材４の反回転方向側に傾けながら、カッター部材４の回転面Ｘ２の延長線上に縁石やコンクリート製壁が存在しないように、カッター部材４の先端を縁石やコンクリート製壁の外周から離した位置とする。その場合、刈払機用飛散防護カバー８における上部平面板部８Ａの他側方辺端８Ａ−３が支柱２の長手方向の外周面よりも外方に突出させない形状となっているので、刈払作業中において、回転するカッター部材４の先端外周と縁石やコンクリート製壁の外周との位置関係が見やすいため、カッター部材４の刃先を縁石やコンクリート製壁に接触させることで破損させることなく、縁石やコンクリート製壁の沿って生えた草類を、効率よく刈り取ることができる。
【００５９】（ｅ）田んぼの畦に設置した畦波板に沿って生えた草類の刈払作業を場合には、カッター部材４を回転させつつ、握りハンドル６によって支柱２の長手方向の中心線Ｘ３を回転軸として回動させて刈払機用飛散防護カバー８をカッター部材４の反回転方向側に傾けながら、カッター部材４の回転面Ｘ２の延長線上に畦波板が存在しないように、カッター部材４の先端を畦波板の外周から離した位置とすることにより、その畦波板が損傷させることなく、畦波板に沿って生えた草類を、効率よく刈り取ることができる。
【００６０】（ｆ）地面の傾斜面、凹凸面若しくは段差部等に生えている草類の刈払作業を場合には、カッター部材４を回転させつつ、握りハンドルによって支柱の長手方向の中心線Ｘ３を回転軸にして支柱を回動させることにより、地面における傾斜面、凹凸面若しくは段差部に合わせてカッター部材４の回転面Ｘ２を傾斜させることで、地面の傾斜面、凹凸面若しくは段差部等に生えている草類を、効率よく刈り取ることができる。
【００６１】（ｇ）使用中の刈払機１が故障して、予備の刈払機を使用する必要ができてその予備の刈払機に刈払機用飛散防護カバーが付いていない場合には、使用中の刈払機１に設置されている刈払機用飛散防護カバー８をその予備の刈払機に取り付けて使用するようにすればよい。その場合、使用中の刈払機１の支柱２の外径と、予備の刈払機の支柱の外径とが異なっていても、挟持用枠部材１７の嵌合凹部１７Ａと挟持用板部材１８の嵌合凹部１８Ａの両方をＶ状としているため、その挟持用枠部材１７と挟持用板部材１８との間に、使用中の刈払機１の支柱２の外径と異なるところの予備の刈払機の支柱を強固に挟持させることができるので、使用中の刈払機１から刈払機用飛散防護カバー８取り外し、その刈払機用飛散防護カバー８を予備の刈払機に取り付けて使用することができる。
【００６２】  上記一実施形態の刈払機１の刈払機用飛散防護カバー８によれば、次の（１）〜（１９）のような効果がえられる。
【００６３】（１）固定部材１０が、刈払機用飛散防護カバー８の上部平面板部８の他側方辺端８Ａ−３に沿って固定されているので、その固定部材１０の取り付け枠体１５に支柱挟持部材１１の挟持用枠部材１７を容易に取り付けることができ、かつ、その取り付け枠体１５に取り付けられた支柱挟持部材１１の挟持用枠部材１７と挟持用板部材１８との間に支柱２を設置した後、ナット体２１を締めることで、支柱２を支柱挟持部材１１で容易に挟持させることができるため、刈払機用飛散防護カバー８への支柱挟持部材１１の取り付け作業及び支柱２への刈払機用飛散防護カバー８の取り付け作業を円滑に行うことができる。
【００６４】（２）上部平面板部８Ａと上部上辺折り曲げ片部８Ｃと上部側辺折り曲げ片部８Ｄによって、刈払機１を使用中、刈払作業者の上半身側に向って、カッター部材４から支柱２の上方側を介して飛散してくる草類、石などの飛散物が遮断されるので、刈払作業時に刈払作業者の上半身側の身に付けるところの、装着類、例えば、帽子、上着、手袋などの装着類に、草類、石などの飛散物が衝突することがなく、草類及び草類の汁が刈払作業者の装着類に付着してその装着類を汚したり損傷させたりすることがなく、かつ、石などの飛散物が刈払作業者の上半身側の身体に、例えば、頭部、胸、手などの身体に当たりその身体を損傷させることがない。
【００６５】（３）下部平面板部８Ｂと下部下辺折り曲げ片部８Ｅと下部側辺折り曲げ片部８Ｆ、８Ｇによって、刈払機１を使用中、その刈払機１の刈払作業者の下半身側に向って、カッター部材から支柱２の下方側を介して飛散してくる草類、石などが飛散物を遮断されるので、刈払作業時に刈払作業者の下半身側の身に付けるところの、装着類、例えば、ズボン、作業靴などの装着類に、草類、石などの飛散物が衝突することがなく、草類及び草類の汁が刈払作業者の装着類に付着してその装着類を汚したり損傷させたりすることがなく、かつ、石などの飛散物が刈払作業者の身体、例えば、足などの身体に当たりその身体を損傷させることがない。特に、刈払機用飛散防護カバー８の下部下辺折り曲げ片部８Ｅの最下端面を地面に軽く押圧させた状態で、刈払作業を行った場合には、刈払機用飛散防護カバー８の下部下辺折り曲げ片部８Ｅと地面との間に隙間がない状態となるので、刈払機１を使用中、その刈払機１の刈払作業者の下半身側に向う、石、草類及び草類の汁などの飛散物を確実に阻止できる。
【００６６】（４）上部上辺折り曲げ片部８Ｃ、上部側辺折り曲げ片部８Ｄ、下部下辺折り曲げ片部８Ｅ及び下部側辺折り曲げ片部８Ｆ、８Ｇによって、上部平面板部８Ａ及び下部平面板部８Ｂを大型化することなく、カッター部材４から飛散してきた飛散物の飛散方向を支柱２の先端側方向に変更させることができるとともに、上部平面板部８Ａ及び下部平面板部８Ｂの強度が図られるので、丈夫で小型化された刈払機用飛散防護カバー８が得られる。
【００６７】（５）上部平面板部８Ａ、下部平面板部８Ｂ、上部上辺折り曲げ片部８Ｃ、上部側辺折り曲げ片部８Ｄ、下部下辺折り曲げ片部８Ｅ及び下部側辺折り曲げ片部８Ｆ、Ｇを、合成樹脂等によって一体成形することで、構成部品の点数を軽減させることができ、刈払機用飛散防護カバー８の製作性を向上させることができる。
【００６８】（６）上部平面板部８Ａの他側方辺端８Ａ−３から挟持用枠部材１７の嵌合凹部１７Ａを外方に突出させた状態となるように挟持用枠部材１７を、取り付け枠体１５に装着することで、上部平面板部８Ａの他側方辺端８Ａ−３の端面と支柱２の外周面との間に間隙に形成しても、その間隙の間隙寸法Ｇを略５ｍｍ以内に設定することで、その間隙から刈払作業者の上半身側に向って飛散してくる草類、石などの飛散物を阻止することができる。
【００６９】（７）支柱挟持部材１１の一対の嵌合凹部１７Ａ、１８Ａを支柱２に嵌合させると、上部平面板部８Ａ及び下部平面板部８Ｂが、支柱２の長手方向の中心線Ｘ３に対して略直角方向に延在する状態となるので、カッター部材４から飛散してきて上部平面板部８Ａ及び下部平面板部８Ｂに衝突した草類の多くが落下してしまい、その草類が上部平面板部８Ａ及び下部平面板部８Ｂに大量にこびり付いてしまうことがないため、刈払作業中に刈払機用飛散防護カバー８が重くなってしまうことにより作業性を低下させてしまうことがない。
【００７０】（８）支柱挟持部材１１の一対の嵌合凹部１７Ａ、１８Ａを支柱２に嵌合させると、下部平面板部８Ａの側辺のうち上部平面板部８Ａの他側方辺端８Ａ−３に近い方の側辺を支柱２の長手方向の外周面よりも外方に突出した状態となるので、カッター部材４から支柱２の下方側を介して刈払作業者の下半身に向って飛散してくる草類、石などの飛散物を、遮断することができる。
【００７１】（９）上部平面板部８Ａの他側方辺端８Ａ−３を支柱２の長手方向の外周面よりも外方に突出させる形状にしなくとも、カッター部材４から支柱２の上方側を介して刈払作業者の上半身側に向って飛散してくる草類、石などの飛散物を遮断することができることを実験により確認できた。そのため、上部平面板部８Ａの他側方辺端８Ａ−３を支柱２の長手方向の外周面よりも外方に突出させない形状とすることで、その上部平面板部８Ａの小形化を図ることができる。
【００７２】（１０）地面の傾斜面、凹凸面若しくは段差部等に生えている草類を刈る場合若しくは太くて硬い草を根元から切断したい場合には、握りハンドル６によって支柱２の長手方向の中心線Ｘ３を回転軸にして支柱２を回動させてカッター部材４の回転面Ｘ２を傾斜させる必要があるが、その回動を、下部平面板部８Ｂにおける下部下辺折り曲げ片部８Ｅと下部側辺折り曲げ片部８Ｆとの間の隅部外周壁８Ｋ−１及び下部下辺折り曲げ片部８Ｅと下部側辺折り曲げ片部８Ｇとの間の隅部外周壁８Ｋ−２を傾斜面とすることで形成した回動可能形状部によって、円滑に行うことができる。換言すれば、握りハンドル６によって支柱２の長手方向の中心線Ｘ３を回転軸にして支柱２を回動させた場合、下部平面板部８Ｂの下部下辺折り曲げ片部８Ｅ及び下部側辺折り曲げ片部８Ｆ、Ｇが、その回動可能形状部により、地面の傾斜面、凹凸面若しくは段差部等に引っ掛かるのを阻止されて、カッター部材４の回転面Ｘ２の傾斜角度の調整を円滑に行えるようになるため、太くて硬い草をその草の根元から難なく切断することができる。
【００７３】（１１）縁石やコンクリート製壁の近傍の草類を刈る場合には、刈払機用飛散防護カバー８の上部側辺折り曲げ片部８Ｄ若しくは下部側辺折り曲げ片部８Ｆを縁石やコンクリート製壁に当接させながら刈払作業をすることもできる。この場合には、刈払機用飛散防護カバー８の上部側辺折り曲げ片部８Ｄ若しくは下部側辺折り曲げ片部８Ｆによって、その縁石やコンクリート製壁にカッター部材４が接触することが阻止されるので、カッター部材４を損傷させることなく、縁石やコンクリート製壁の近傍の草類を刈り取ることができる。
【００７４】（１２）立ち木の周り近傍の下草を刈る場合には、刈払機用飛散防護カバー８の上部側辺折り曲げ片部８Ｄ若しくは下部側辺折り曲げ片部８Ｆを立ち木に当接させながら立ち木の周り沿って刈払機１を移動させつつ、刈払作業をすることもできる。この場合には、刈払機用飛散防護カバー８の上部側辺折り曲げ片部８Ｄ若しくは下部側辺折り曲げ片部８Ｆによって、カッター部材４が立ち木に接触することが阻止されるので、立ち木の周り近傍の下草を、その立ち木を損傷させることなく、円滑に刈り取ることができる。
【００７５】（１３）土手の斜面を、その土手の上にて刈払機１を持ち上げながら刈払作業をした際に、刈払機１全体が上方に跳ね返った場合には、刈払機用飛散防護カバー８の下部下辺折り曲げ片部８Ｅが刈払作業者の足に当たってカッター部材４が刈払作業者の脚等に接触するのを阻止しているため、その脚等がカッター部材４によって、傷付けられることがない。
【００７６】（１４）工具を用いることなく、刈払作業者の指で、ナット体２１を締め付けたり緩めたりすることで、刈払機用飛散防護カバー８の支柱２への取り付け及び取り外し並びに刈払機用飛散防護カバー８の支柱２への取り付け位置の調整を、行うことができ、使い勝手がよい。
【００７７】（１５）刈払機用飛散防護カバー８の上部平面板部８Ａの他側方辺端８Ａ−３を支柱２の長手方向の外周面よりも外方に突出させていないので、挟持用枠部材１７のＶ状の嵌合凹部１７Ａと挟持用板部材１８のＶ状の嵌合凹部１８Ａの間で、支柱２を挟持する作業を円滑に行うことができ、刈払機用飛散防護カバー８の支柱２への取り付け作業を難なく行うことができるとともに、ナット体２１を緩めて挟持用板部材１８を、一方のねじ棒２０を軸にして回動させることで、支柱２を挟持用枠部材１７のＶ状の嵌合凹部１７Ａと挟持用板部材１８のＶ状の嵌合凹部１８Ａの間から解放させることができ、刈払機用飛散防護カバー８の支柱２からの取り外し作業も難なく行うことができる。
【００７８】（１６）刈払機用飛散防護カバー８を支柱２から取り外しても、挟持手段９を構成するところの支柱挟持部材１１が刈払機用飛散防護カバー８に固定された固定部材１０から分離された状態とならずに、その挟持手段９を刈払機用飛散防護カバー８と一緒に保管管理することができ、便利である。また、固定部材１０から支柱挟持部材１１を構成するところの挟持用枠部材１７、挟持用板部材１８及び挟持用締結具１９の部品を分離させることなく、それら部品を一体化させた状態のままで、固定部材１０から支柱挟持部材１１を取り外したり、あるいは固定部材１０から支柱挟持部材１１を取り付けたりする（着脱自在にする）ことができるので、取扱性が優れている。
【００７９】（１７）刈払機用飛散防護カバー８の上部平面板部８Ａの他側方辺端８Ａ−３を支柱２の長手方向の外周面よりも外方に突出させないで、その上部平面板部８Ａの他側方辺端８Ａ−３よりも外方に挟持用枠部材１７の嵌合凹部１７Ａを位置させているため、挟持用枠部材１７のＶ状の嵌合凹部１７Ａと挟持用板部材１８のＶ状の嵌合凹部１８Ａの間で、支柱２を挟持する作業を円滑に行うことができ、刈払機用飛散防護カバー８の支柱２への取り付け作業を難なく行うことができるとともに、ナット体２１を緩めて挟持用板部材１８を、一方のねじ棒２０を軸にして回動させることで、支柱２を挟持用枠部材１７のＶ状の嵌合凹部１７Ａと挟持用板部材１８のＶ状の嵌合凹部１８Ａの間から解放させることができ、刈払機用飛散防護カバー８の支柱２からの取り外し作業も難なく行うことができる。
【００８０】（１８）刈払機用飛散防護カバー８が、上部平面板部８Ａの他側方辺端８Ａ−３を支柱２の長手方向の外周面よりも外方に突出させない形状となっているので、刈払作業中において、カッター部材４の先端外周と、縁石やコンクリート製壁の地際との位置関係、草類等の根元との位置関係若しくは立ち木の周りとの位置関係を、刈払作業者が見やすいため、縁石やコンクリート製壁の地際の草類、立ち木の周りの下草若しくは幹の太い草類等の刈取りを円滑に行うことができる。
【００８１】（１９）支柱挟持部材１１を固定部材１０に装着する作業の際、支柱挟持部材１１の２個のねじ棒２０を、固定部材１０の取り付け枠体１５に設けた摺動溝１５Ａに嵌合させた後、その摺動溝１５Ａ内を移動させても、ねじ棒２０の頭部２０Ａに脱落防止部材を兼ねた第２締結具１６が衝突（係止）することにより、支柱挟持部材１１のねじ棒２０が取り付け枠体１５の摺動溝１５Ａの左右端から抜け出すのが阻止されるので、支柱挟持部材１１の固定部材１０への装着作業を円滑に行うことができる。
【００８２】  以上のように、上記一実施形態によれば、上部平面板部８Ａ及び下部平面板部８Ｂの小形化及び強度向上が図られるとともに、製作性、使い勝手性及び安全性を向上させることのできる刈払機の刈払機用飛散防護カバー８を提供できた。
【００８３】  さらに、上記一実施形態によれば、上部平面板部８Ａ及び下部平面板部８Ｂに草類が大量にこびり付くのを阻止し得る刈払機１の刈払機用飛散防護カバー８を提供できた。
【００８４】  さらに、上記一実施形態によれば、上部平面板部８Ａの他側方辺端８Ａ−３と支柱２の外周面との間隙があっても、その間隙から刈払作業者の上半身側に向って飛散してくる草類、石などの飛散物を阻止し得る刈払機１の刈払機用飛散防護カバー８を提供できた。
【００８５】  さらに、上記一実施形態によれば、支柱２の長手方向の中心線Ｘ３を回転軸にして支柱２を回動させることによりカッター部材４の回転面Ｘ２を円滑に傾斜させることを可能にして操作性を向上させることのできる刈払機１の刈払機用飛散防護カバー８を提供できた。
【００８６】  上記一実施形態の刈払機用飛散防護カバー８は、合成樹脂製（強化プラスチック製）として成形加工によって作るようにしているがこれに限定させず、ステンレス製、アルミニューム製若しくは鋼板製とすることも可能である。
【００８７】  上記一実施形態の刈払機用飛散防護カバー８における下部下辺折り曲げ片部８Ｅと下部側辺折り曲げ片部８Ｆとの間の隅部外周壁８Ｋ−１及び下部下辺折り曲げ片部８Ｅと下部側辺折り曲げ片部８Ｇとの間の隅部外周壁８Ｋ−２を傾斜面とすることで、回動可能形状部を形成するようにしているがこれに限定されない。隅部外周壁８Ｋ−１、８Ｋ−２を円弧面とすることにより、回動可能形状部を形成するようにしてもよいし、あるいは、下部下辺折り曲げ片部８Ｅと隅部外周壁８Ｋ−１と隅部外周壁８Ｋ−２の全体形状を、連続したなだらかに円弧状とすることにより、回動可能形状部を形成するようにしてもよい。
【００８８】  上記一実施形態の刈払機用飛散防護カバー８では、支柱２を挟持するための凹部の形状を、固定部材側Ｖ状凹部１０Ａと締結用板部材側Ｖ状凹部１１Ａのように、Ｖ状としているが、径が同一である支柱２にのみ刈払機用飛散防護カバー８を取り付ける場合には、支柱２を挟持するための凹部の形状を、支柱２の外形に沿った円弧状であってもよい。
【００８９】  上記一実施形態の刈払機用飛散防護カバー８では、摺動溝１５Ａに嵌合させた支柱挟持部材１１がその摺動溝１５Ａから脱落するのを防止する脱落防止部材を、第２締結具１６が兼ねるようにしているが、これに限定されない。第２締結具１６が脱落防止部材を兼ねる構造とすることなく、第２締結具１６とは別体の、例えば、取り付け枠体１５の摺動溝１５Ａに対向する内底の左右端側にそれぞれ固定された脱落防止用ねじ棒と、この脱落防止用ねじ棒を取り付け枠体１５の摺動溝１５Ａに対向する内底に固定するための脱落防止用締結具とから構成されるところの脱落防止部材を設けるようにすることも可能である。第２締結具１６とは別体に脱落防止部材を設けるようにした場合には、刈払機用飛散防護カバー８の装着手順において、Ｌ状固定具１２の立ち上がり片側１２Ａに取り付け枠体１５を第２締結具１６により予め取り付けた後、そのＬ状固定具１２を上部平面板部８Ａの背面側に第１締結具１４により固定するようにすることが可能となる。
【００９０】  上記一実施形態の支柱挟持部材１１における挟持用締結具１９を構成するナット体２１は、蝶ナット状としているが、これに限定されない。図１７に示す他実施形態例その１の挟持用締結具３０のように、上記実施形態のナット体２１に換えて摘み部材３１とするようにしてもよい。また、図１７に示す他実施形態例その１の挟持用締結具３０は、割りピン２３に換えて、ねじ棒２０に装着した握り型の摘み部材３１の首部に固定したリング状の取り付け部材３２と、その取り付け板部材３２と挟持用板部材１８とを連結する連結紐３３を設けることで、摘み部材３１をねじ棒２０の先端から外した際に、その摘み部材３１が紛失しないようにしたものであり、他の構造は上記一実施形態の支柱挟持部材１１における挟持用締結具１９と同一である。なお、他実施形態例その１を示す図１７において、上記一実施形態を示す図１２と同一符号は、図１２と同一内容を表している。
【００９１】  図１８に示す他実施形態例その２に係わる挟持用締結具４０は、一端側をねじ棒２０に装着した握り型の摘み部材４１の頭部の上面に固定し、かつ、他端側を挟持用板部材１８に固定した連結紐４２を設けることで、摘み部材４１をねじ棒２０の先端から外した際に、その摘み部材４１が紛失しないようにしたものであり、他の構造は上記一実施形態の支柱挟持部材１１における挟持用締結具１９と同一である。なお、他実施形態例その２を示す図１８において、上記一実施形態を示す図１２と同一符号は、図１２と同一内容を表している。他実施形態例その１の挟持用締結具３０及び他実施形態例その２の挟持用締結具４０によれば、抜け止め防止用の割りピン２３が不要となるとともに、ねじ棒２０の先端部分に、抜け止め防止用の割りピン２３を固定するための穴を加工する必要がなくなる。
【００９２】  図１９及び図２０に示す他実施形態例その３に係わる刈払機用飛散防護カバー８０は、図１〜図９などに示す上記一実施形態の刈払機用飛散防護カバー８とは、上部平面板部８Ａの一部と下部平面板部８Ｂの一部の構造を異にしている。すなわち、上記一実施形態の刈払機用飛散防護カバー８と図１９及び図２０に示す他実施形態例その３に係わる刈払機用飛散防護カバー８０とは、前者が、下部平面板部８Ｂの上辺８Ｂ−４の全長に下部上辺折り曲げ片部８Ｈを形成するようにしているとともに、上部平面板部８Ａの他側方辺端８Ａ−３に折り曲げ片部を形成しない構成としているのに対して、後者が、下部平面板部８Ｂの上辺８Ｂ−４の一部分のみに下部上辺折り曲げ片部８Ｈを形成して残りの上辺８Ｂ−４の部分を支柱２が嵌る凹部８０Ａとしているとともに、上部平面板部８Ａの他側方辺端８Ａ−３に、刈払機用飛散防護カバー８を挟持手段９で支柱２を挟持した状態で支柱２に接触することのないようにした折り曲げ片部（上部他側方辺折り曲げ片部）８０Ｂを設けるようにした点でのみ、両者は相違している。他実施形態例その３に係わる刈払機用飛散防護カバー８０によれば、折り曲げ片部（上部他側方辺折り曲げ片部）８０Ｂにより、刈払機用飛散防護カバー８０の強度を向上させることができるとともに、凹部８０Ａにより、刈払機用飛散防護カバー８０の支柱２への取り付け位置の調整が容易となる。なお、他実施形態例その２を示す図１９及び図２０において、上記一実施形態を示す図１〜図９と同一符号は、図１〜図９と同一内容を表している。
【符号の説明】
【００９３】１    刈払機
２    支柱
３    筒状伝達機構収納体
４    カッター部材
５    駆動装置
６    握りハンドル
７    肩掛けバンド
８    刈払機用飛散防護カバー
８Ａ  上部平面板部
８Ａ−１  上部平面板部の上辺
８Ａ−２  上部平面板部の一側辺
８Ａ−３  他側方辺端
８Ｂ  下部平面板部
８Ｂ−１  下部平面板部の下辺
８Ｂ−２、８Ｂ−３  下部平面板部の側辺
８Ｂ−４  下部平面板部の上辺
８Ｃ  上部上辺折り曲げ片部
８Ｄ  上部側辺折り曲げ片部
８Ｅ  下部下辺折り曲げ片部
８Ｆ、８Ｇ  下部側辺折り曲げ片部
８Ｈ  下部上辺折り曲げ片部
８Ｋ−１  隅部外周壁
８Ｋ−２  隅部外周壁
９    挟持手段
１０  固定部材
１１  支柱挟持部材
１２  Ｌ状固定具
１２Ａ  立ち上がり片側
１３  補強板
１４  第１締結具
１５  取り付け枠体
１５Ａ  摺動溝
１５Ｂ  第２締結具用取り付け穴
１６  第２締結具
１７  挟持用枠部材
１７Ａ  Ｖ状の嵌合凹部
１７Ｂ  上面貫通穴
１７Ｃ  下面貫通穴
１７Ｄ  円筒状補強体
１８  挟持用板部材
１８Ａ  Ｖ状の嵌合凹部
１８Ｂ  上面貫通穴
１８Ｃ  切り込む開口
１９  挟持用締結具
２０  ねじ棒
２０Ａ  頭部
２１  ナット体
２２  回り止め部材
２３  割りピン
【図１】
0003149948.tif 000003
【図２】
0003149948.tif 000004
【図３】
0003149948.tif 000005
【図４】
0003149948.tif 000006
【図５】
0003149948.tif 000007
【図６】
0003149948.tif 000008
【図７】
0003149948.tif 000009
【図８】
0003149948.tif 000010
【図９】
0003149948.tif 000011
【図１０】
0003149948.tif 000012
【図１１】
0003149948.tif 000013
【図１２】
0003149948.tif 000014
【図１３】
0003149948.tif 000015
【図１４】
0003149948.tif 000016
【図１５】
0003149948.tif 000017
【図１６】
0003149948.tif 000018
【図１７】
0003149948.tif 000019
【図１８】
0003149948.tif 000020
【図１９】
0003149948.tif 000021
【図２０】
0003149948.tif 000022